(57)【特許請求の範囲】
【請求項１】
内視鏡像を得るための照明光を発生する内視鏡光源装置であって、
内視鏡像を撮像する第１の撮像装置からの撮像信号を処理すると共に当該撮像信号に基づいて当該光源装置に適応可能な調光用信号を出力する調光用信号出力回路を有する第１の映像信号処理装置と、
内視鏡像を撮像する、前記第１の撮像装置とは異なる第２の撮像装置からの撮像信号を処理する共に当該撮像信号に基づいて当該光源装置に適応可能な調光用信号を出力する調光用信号出力回路を有さない第２の映像信号処理装置と、
のいずれか一方を接続可能とする内視鏡用光源装置において、
前記第２の映像信号処理装置が接続された際に発生可能な照明光の最大出射光量を、前記第１の映像信号処理装置が接続された際に発生可能な照明光の最大出射光量に対して小さく設定する出射光量設定手段を具備することを特徴とする内視鏡光源装置。
【発明の詳細な説明】
【０００１】
【発明の属する技術分野】
本発明は内視鏡に照明光を供給する内視鏡光源装置に関する。
【０００２】
【従来の技術】
近年、内視鏡は医療用分野及び工業用分野で広く用いられるようになった。この内視鏡は照明光を発生する内視鏡光源装置（単に光源装置ともいう）とで内視鏡装置を構成し、光源装置から供給される照明光をライトガイドで伝送して挿入部の先端側の照明窓から生体内部等の被写体を照明する。
【０００３】
従来技術として、例えば、特開平８−７６０２９号公報の光源装置では、光源装置とテレビカメラとモニタによって生体内腔の臓器等の内視鏡像を観察する内視鏡装置を構成しており、モニタの明るさを観察に適した明るさに自動的に調節する自動調光手段を設けている。
【０００４】
自動調光手段は２つの方式があり、その１つは、上記公報で開示されているようにテレビカメラの輝度信号により、光源装置から出力される照明光量を制御する方式である。
もう１つは、テレビカメラ等の撮像装置におけるＣＣＤの撮像時の蓄積時間を可変制御することにより、明るさを制御する素子シャッタ方式がある。
【０００５】
【発明が解決しようとする課題】
素子シャッタ方式では、光源装置の明るさに無関係にテレビカメラのみで明るさ制御がされるため、光源装置からの出射光量が最大に設定されていた場合、出射される照明光の持つ熱によって生体組織の状態が通常の状態から変化してしまい易く、診断し易い状態を保つ機能が低下する場合がある。
【０００６】
つまり、照明光の持つ熱によって生体組織の状態が通常の状態から赤く変化して色調の変化等が起こり、診断等を行う際の重要な要因となる色調変化が発生し易くなる。また、この状態が長時間続くと、腫れたり、熱傷を起こす恐れもでてくる。
【０００７】
本発明は、上述した点に鑑みてなされたもので、素子シャッタ方式等の種類の異なる映像信号処理装置と共に使用される場合にも、過度の照明光による悪影響を防止できる内視鏡光源装置を提供する事を目的とする。
【０００８】
【課題を解決するための手段】
本発明の内視鏡光源装置は、内視鏡像を得るための照明光を発生する内視鏡光源装置であって、内視鏡像を撮像する第１の撮像装置からの撮像信号を処理すると共に当該撮像信号に基づいて当該光源装置に適応可能な調光用信号を出力する調光用信号出力回路を有する第１の映像信号処理装置と、内視鏡像を撮像する、前記第１の撮像装置とは異なる第２の撮像装置からの撮像信号を処理する共に当該撮像信号に基づいて当該光源装置に適応可能な調光用信号を出力する調光用信号出力回路を有さない第２の映像信号処理装置と、のいずれか一方を接続可能とする内視鏡用光源装置において、前記第２の映像信号処理装置が接続された際に発生可能な照明光の最大出射光量を、前記第１の映像信号処理装置が接続された際に発生可能な照明光の最大出射光量に対して小さく設定する出射光量設定手段を具備することを特徴とする。
【０００９】
【発明の実施の形態】
以下、図面を参照して本発明の実施の形態を説明する。
（第１の実施の形態）
図１ないし図４は本発明の第１の実施の形態に係り、図１は第１の実施の形態の内視鏡光源装置の外観を示し、図２は内視鏡光源装置等の内部構成を示し、図３はＣＣＵ接続検知回路の具体的な回路構成を示し、図４はＬＧケーブル種類検知手段による種類検知による動作モードを示す。
【００１０】
図１に示す内視鏡装置１Ａは、内視鏡として例えば硬性内視鏡２と、硬性内視鏡２に供給する照明光を発生する内視鏡光源装置（以下、単に光源装置と略記）３Ａと、この光源装置３Ａに着脱自在で接続され、照明光を伝送（導光）して硬性内視鏡２に供給する導光手段としてのＬＧ（ライトガイド）ケーブル４とから構成される。
【００１１】
硬性内視鏡２は硬性で細長の挿入部５と、この挿入部５の後端に設けられた太径の把持部６と、この把持部６の後端に設けられた接眼部７とを有し、把持部６のＬＧ口金接続部８にＬＧケーブル４の口金が接続される。
【００１２】
図１では接眼部７から肉眼観察する内視鏡装置１Ａの場合の構成を示しているが、接眼部７に撮像装置としてのテレビカメラ１１を装着することもでき、この場合の内視鏡装置１Ｂの構成を図２に示す。
【００１３】
図２に示す内視鏡装置１Ｂは図１の内視鏡装置１Ａにおいて、さらに硬性内視鏡２に装着される撮像装置としてのテレビカメラ１１と、このテレビカメラ１１が接続され、映像信号を生成する処理を行う映像信号処理装置としてのカメラコントロールユニット（以下、ＣＣＵと略記）１２と、このＣＣＵ１２から出力される映像信号を表示するモニタ１３とを有する。
【００１４】
図２に示すように光源装置３ＡにはＬＧコネクタ受け１５が設けてあり、このＬＧコネクタ受け１５にはＬＧケーブル４の端部のＬＧコネクタ１６が接続される。
この光源装置３Ａ内部にはＬＧコネクタ１５に対向する位置に、発光する光源ランプとして例えば放電ランプ１７が配置され、この放電ランプ１７はランプ点灯回路１８からのランプ点灯電源が供給されることによって点灯する。
【００１５】
点灯した光は放物面状のリフレクタ１９によって集光され、ＬＧコネクタ１６の端面の中央付近、つまりライトガイド２１の端面に集光して照射されるようになっている。
この放電ランプ１７とＬＧコネクタ１６との間の照明光路中には照明光を調光する絞り２２が設けられている。この絞り２２は絞り羽根２３とこの絞り羽根２３の基端の軸の周りで回転するモータ２４とからなり、このモータ２４は絞り駆動回路２５によって駆動される。
【００１６】
この絞り２２を経てライトガイド２１に供給された照明光はＬＧ口金接続部８から硬性内視鏡２内のライトガイド２６に供給され、このライトガイド２６によって伝送され、挿入部５の先端部の照明窓に固定された先端面から前方に出射され、患部等の被写体を照明する。
照明された被写体は観察窓に取り付けた対物レンズ２７によって結像され、その像はリレーレンズ系２８によって挿入部５の後端側に伝送される。この像は接眼レンズ２９により拡大観察することができる。
【００１７】
この硬性内視鏡４の接眼部７には、図２に示すようにテレビカメラ１１のカメラヘッド３１を装着することができる。このカメラヘッド３１内には接眼レンズ２９に対向して結像レンズ３２が配置され、その結像位置には固体撮像素子としての電荷結合素子（ＣＣＤと略記）３３が配置されている。
【００１８】
このＣＣＤ３３に接続された信号線はカメラーヘッド３１から延出されたケーブル３４内を挿通され、コネクタ３５によりＣＣＵ１２に接続される。そして、ＣＣＵ１２内のＣＣＤドライバ３６からのＣＣＤドライブ信号が印加されることにより、ＣＣＤ３３で光電変換された撮像信号がＣＣＵ１２内の映像信号処理回路３７に入力される。
【００１９】
映像信号処理回路３７により、撮像信号から標準的な映像信号が生成され、この映像信号は映像出力端３７からモニタ１３に入力され、モニタ１３の表示面に被写体像（内視鏡像）を表示する。また、この映像信号処理回路３７により生成される輝度信号は調光信号出力回路３８に入力され、ＣＣＤ３３からの撮像信号より内視鏡像の明るさに対応したパルス幅変調された調光信号が生成され、調光信号出力コネクタ４０から出力できるようにしている。
【００２０】
この調光信号はその出力コネクタ４０に接続された調光ケーブル４１を介して光源装置３Ａの調光信号入力コネクタ４２からＣＣＵ接続検知回路４３をスルーして調光回路４５に入力される。
【００２１】
光源装置３Ａに設けた調光回路４５にはビデオ信号入力コネクタ４６からビデオ信号が入力される。または調光信号入力コネクタ４２から入力される調光信号がＣＣＵ接続検知回路４３をスルーして入力される。
【００２２】
また、この調光回路４５には、制御回路４７からの調光基準信号が入力され、これらの入力信号によって絞り動作制限回路４８を経て絞り駆動回路２５を制御することにより光源装置３Ａからの照明光の明るさを制御する。
【００２３】
また、本実施の形態では光源装置３ＡのＬＧコネクタ受け１５に設けられたＬＧケーブル種類検知手段４９によりＬＧケーブル４の種類、例えば高輝度モード対応ＬＧケーブルと通常モード対応ＬＧケーブルとのいづれが接続されたかを検知するようになっている。
【００２４】
通常モード対応ＬＧケーブルが検知された場合は、絞り動作制限回路４８に検知信号が入力され、通常モード対応ＬＧケーブルを検知した場合には高輝度モード対応ＬＧケーブルを検知した場合に比べて絞り動作制限回路４８は絞り駆動回路２５を介して絞り２３の最大開口量を小さくする。また、絞り動作制限回路４８は調光回路４５からの信号を絞り駆動回路２５に出力する。
【００２５】
また、光源装置３Ａ内に設けたＣＣＵ接続検知回路４３は調光信号入力コネクタ４２に入力される信号により図２に示す調光信号出力回路３８を内蔵した（光源装置３Ａに）専用のＣＣＵ１２かこのＣＣＵ１２とは異なる種類、つまり図２のＣＣＵ１２において、調光信号出力回路３８を内蔵しない（従ってコネクタ４０も有しない）で、電荷蓄積時間を可変する素子シャッタにより映像信号の明るさを観察に適した明るさに調光する映像信号処理を行う一般用ＣＣＵが接続されているかを検出し、この検出結果に応じて絞り動作制限回路４８の絞り動作の制限等を行う。
【００２６】
図３はこのＣＣＵ接続検知回路４３の構成の１例を示す。
調光信号入力コネクタ４２にはＣＣＵ接続検知回路４３を構成するフォトカプラ５１の発光素子（ＬＥＤと略記）５２に接続された接点ｃが設けられ、調光ケーブル４１を接続することにより、接点ｃは調光ケーブル４１の信号線４１ｃを介してＣＣＵ１２の調光信号出力コネクタ４０の接点ｃを経てＣＣＵ１２のＧＮＤに接続される。
【００２７】
また、調光ケーブル４１のＧＮＤ線４１ｂは調光信号出力コネクタ４０及び調光信号入力コネクタ４２の接点ｂを経て光源装置３ＡのＧＮＤと接続される。
【００２８】
また、調光信号を伝送する信号線４１ａは調光信号出力コネクタ４０及び調光信号入力コネクタ４２の接点ａを経て調光回路４５に入力される。
【００２９】
フォトカプラ５１のＬＥＤ５２のアノードは抵抗Ｒ１を介して電源端Ｖｃｃに接続されている。また、フォトカプラ５１のフォトトランジスタ５３はそのコレクタが抵抗Ｒ２を介して電源端Ｖｃｃに接続されると共に、検知信号の出力端となり、絞り動作制限回路４８に検知信号を出力し、エミッタがＧＮＤに接続されている。
【００３０】
この構成により、調光ケーブル４１がＣＣＵ１２と光源装置３Ａに接続されると、調光信号出力回路３８のバッファ３８ａを経た調光信号は信号線４１ａを経て接点ａから調光回路４５に入力される。
【００３１】
また、ＬＥＤ５２はそのカソードが調光ケーブル４１の信号線４１ｃを経てＧＮＤと接続される状態となり、ＬＥＤ５２が発光し、フォトトランジスタ５３はこの光を受けてＯＮ（導通）する。従って、“Ｌ”レベルの検知信号を出力する。
【００３２】
一方、調光ケーブル４１が接続されないと、ＬＥＤ５２は発光しないので、フォトトランジスタ５３はＯＦＦ（非導通）となり、検知信号は非接続の“Ｈ”レベルとなる。
【００３３】
このように光源装置３Ａ側の調光信号入力コネクタ４２とＣＣＵ１２との間でループが形成される接点が設けられ、フォトカプラ５１のＬＥＤ５２が接続されている。このＬＥＤ５２はＣＣＵ１２側の回路でＧＮＤに接続され、ＣＣＵ１２が調光ケーブル４１により接続されると、ＬＥＤ５２が点灯し、フォトカプラ５１のフォトトランジスタ５３がオンし、接続検知の信号が出力される。
ＣＣＵ１２の接続が検知された場合に、検知信号が絞り動作制限回路４８に入力され、絞り動作制限回路４８が作動しないようになっている。
【００３４】
また、この光源装置３Ａのフロントパネル５５には自動調光と手動調光とを切り換える切り換えスイッチとか、自動調光の場合にはモニタ１３に表示される被写体像（内視鏡像）明るさを基準の明るさに設定する調光基準信号のレベルをアップ或いはダウンして可変するスイッチとか、手動調光の場合には照明光量をアップ或いはダウンして可変するスイッチ等が設けてある。
【００３５】
本実施の形態では、ＣＣＤ３３の撮像信号から光源装置３Ａの照明光量を観察に適した明るさに調整する信号を生成する調光信号出力回路３８を設けた専用のＣＣＵ１２と、ＣＣＤ３３の撮像信号から（光源装置３Ａの出射光量を制御するのとは無関係に）その映像信号の明るさを蓄積時間で可変設定する素子シャッタ方式の調光機能を備えた一般用ＣＣＵとの接続を識別して検出するＣＣＵ接続検知回路４３を設け、このＣＣＵ接続検知回路４３により一般用ＣＣＵが接続された場合には光源装置３Ａから出射される最大の出射光量を制限することにより、素子シャッタが機能しても被写体に過度の照明光が照射されないようにしている。
【００３６】
一般的にビデオ信号を光源装置の調光信号として用いる事により、明るさ制御が可能であるが、素子シャッタ方式を用いている場合、既に素子シャッタ方式により明るさ制御されることにより調光信号となるので、明るさ一定に制御されたこの信号を元に、光源装置の明るさ制御は不適当になる場合が発生する。光源装置側で明るさ制御を行なうためには、素子シャッタ方式より優先して調光信号が出力される調光信号出力回路３８を設けて実現可能となる。
【００３７】
この様に構成された第１の実施の形態の作用について説明する。
調光信号出力回路３８を有しない素子シャッタ機能を有するような一般用ＣＣＵが接続される場合は光源装置３Ａのビデオ信号入力コネクタ４６にビデオ信号が入力される。この場合、調光信号コネクタ４２には何も接続されていないので、ＣＣＵ接続検知回路４３でＣＣＵの接続が検知されないため、絞り動作制限回路４８が作動をし、絞り２２の作動範囲を制限し、最大光量の約半分の光量までしか出射されない通常モードに制限される。
【００３８】
この場合には、ＬＧケーブル種類検知手段４９により、光源装置３Ａに接続されたＬＧケーブル４が通常モードの場合は勿論、高輝度対応のものであっても、上記のように絞り２２の作動範囲を制限しした通常モードの動作に制限されることになる。
【００３９】
一方、図２に示す調光信号出力回路３８を備えた（つまり、素子シャッタ機能を有しない）専用のＣＣＵ１２が接続される場合、調光信号入力コネクタ４２とＣＣＵ１２とで調光ケーブル４１により上述した接続ループが形成されるようになっており、ループの形成をＣＣＵ接続検知回路４３が検出する。
【００４０】
ＣＣＵ接続検知回路４３からの検知信号は絞り動作制限回路４８の絞り動作制限の動作を行わないようにするので絞り２２は最大光量まで制限される事なく調光制御が行われる高輝度モードで作動する。
【００４１】
この場合、ＬＧケーブル種類検知手段４９により、光源装置３Ａに接続されたＬＧケーブル４が高輝度対応のものであれば、上記のように絞り動作制限回路４８は高輝度モードで作動する。これに対し、ＬＧケーブル種類検知手段４９により、光源装置３Ａに接続されたＬＧケーブル４が通常モード用のものであれば、絞り動作制限回路４８は絞り動作制限の動作を行い通常モードで作動する。つまり、絞り２２の作動範囲を制限し、最大光量の約半分の光量までしか出射されない通常モードに制限される。
【００４２】
図４は上述した作用をまとめたもので、ＣＣＵの種類とＬＧケーブル４の種類により高輝度モード或いは通常モードで作動する形態を表にして示す。
以上の説明は自動調光モードに設定した場合で説明したが、手動調光に切り換えた場合には、フロントパネル５５からの操作で調光することができる。
【００４３】
本実施の形態によれば、素子シャッタ方式の一般用ＣＣＵを使用することも専用のＣＣＵ１２のいずれでも使用でき、一般用ＣＣＵを使用した場合には光源装置３Ａから出射可能な最大出射光量の半分程度に制限しているので、光源装置３Ａから出射される照明光の持つ熱によって生体組織が（照射前の状態から）赤みが増した色調に変化したりすることを防止できるし、より長時間の照射の際に発生する可能性がある熱傷等も確実に防止できる。
【００４４】
従って、出射される照明光の持つ熱で生体組織の状態を変化させたり、診断する際の大きな要因となる色調の変化等の悪影響が起こるのを防止でき、術者が的確な診断をし易い状態を維持できる。つまり、診断に適した照明状態を維持できる。
また、素子シャッタ方式の一般用ＣＣＵを使用した場合には、光源装置３Ａからの出射光量は最大出射光量の半分程度に制限されるが、素子シャッタ機能により、モニタ１３には観察に適した明るさで被写体像（内視鏡像）を表示できる。なお、放電ランプ１７はキセノンランプ、メタルハライドランプの水銀ランプ等の放電ランプであれば特に限定されるものではない。
【００４５】
本実施の形態では、硬性内視鏡２を用いた場合で説明したが、軟性内視鏡でも適用可能である。また、光学式の内視鏡の他、ＣＣＤ等の撮像する撮像装置を内蔵した電子内視鏡を用いた場合にも本実施の形態に適用できる。
【００４６】
（第２の実施の形態）
次に本発明の第２の実施の形態を図５を参照して説明する。なお、第１の実施の形態と同様の構成要素には同じ符号を付し、その説明を省略する。
図５は、第２の実施の形態の光源装置３Ｂを備えた内視鏡装置１Ｃの構成を示す。
【００４７】
光源装置３Ｂの内部には、光源ランプとして、例えばハロゲンランプ６１が設けられ、このハロゲンランプ６１はハロゲンランプ点灯回路６２からハロゲンランプ点灯電源が供給されることによって点灯する。この点灯した光はハロゲンランプ６１と一体のリフレクタ６３によってＬＧコネクタ１６の端面に集光される。
【００４８】
ハロゲンランプ６１とＬＧコネクタ１６との間の照明光路中には照明光を減光する減光フィルタとして例えばメッシュフィルタ６４が設けられ、このメッシュフィルタ６４の基端はソレノイド６５の（中空部で吸引移動可能な）可動部に接続され、ソレノイド駆動回路６６によってソレノイド６５に駆動信号を印加することによりメッシュフィルタ６４を照明光路から挿脱自在に駆動できるようにしている。
【００４９】
また、調光回路４５からの調光信号はランプ電流設定回路６７に入力され、この調光信号によりランプ電流を決定し、その信号をハロゲンランプ点灯回路６２に出力して、ハロゲンランプ６１の発光量を制御して照明光の明るさを制御するようになっている。
【００５０】
光源装置３ＢのＬＧコネクタ１６に設けられたＬＧ種類検知手段４９によりＬＧケーブル４の種類、例えば高輝度モード対応ＬＧケーブルと通常モード対応ＬＧケーブルとのいづれであるかを検知し、このＬＧ種類検知手段４９はＣＰＵ６８に検知信号を出力し、ＣＰＵ６８は検知信号に応じてソレノイド駆動回路６６に信号を出力してその動作を制御するようになっている。
【００５１】
具体的には通常モード対応ＬＧケーブルが検知された場合は、ソレノイド駆動回路６６にはＣＰＵ６８より駆動させる制御信号が入力されず、メッシュフィルタ６４は光路中に介在したままとなり、メッシュフィルタ６４で減光されて通常モードに対応する。
【００５２】
一方、高輝度モード対応ＬＧケーブルが検知された場合は、ソレノイド駆動回路６６にはＣＰＵ６８より駆動させる制御信号が出力されるため、ソレノイド駆動回路６６には吸引する駆動信号が流れ、メッシュフィルタ６４を光路中から光路外に退避した状態となり、高輝度モードに対応する。
【００５３】
調光信号入力コネクタ４２に入力される調光信号はＣＣＵ接続検知回路６９を経て調光回路４５に入力される。
このＣＣＵ接続検知回路６９は図６のように調光信号を検出して検知する方法がとられ、パルス幅変調された図７（Ａ）に示す調光信号は信号線４１ａにより伝送され、接点ａからＣＣＵ接続検知回路６９を構成するリトリガブル方式のワンショットマルチバイブレータ（以下、ＯＳＭと略記）７１のトリガ入力端Ａに印加される。
【００５４】
このＯＳＭ７１には出力するパルス幅を設定する抵抗Ｒ３とコンデンサＣ１とが接続され、このパルス幅は上記パルス変調の最大の周期より長く設定されており、パルス幅変調された図７（Ａ）に示す調光信号がが入力されているとワンショットを連続して出力するようにして、この場合には“Ｈ”レベルの検知信号を出力するようにしている。
【００５５】
また、パルス変調された調光信号はＣＣＵ接続検知回路６９内の積分回路７２を構成する演算増幅器７３に抵抗Ｒ４を経て入力され、入力端と出力端に接続されてコンデンサＣ２で積分することにより、調光信号のパルスを平均化して図７（Ｂ）に示す調光信号を得られるようになっている。
【００５６】
ＣＣＵ接続検知回路６９の検知信号はＣＰＵ６８に入力され、ＣＣＵ１２の接続の有無により、ソレノイド駆動回路６６を介してメッシュフィルタ６４の照明光路中への挿脱を制御する。その他の構成は図２と同様である。
【００５７】
この様に構成された第２の実施の形態の作用について説明する。
図示しない一般用ＣＣＵが接続される場合は光源装置３Ｂのビデオ信号入力コネクタ４６にビデオ信号が入力される。この場合、調光信号入力コネクタ４２には何も接続されていないので、ＣＣＵ接続検知手段６９で専用ＣＣＵ１２の接続が検知されないため、メッシュフィルタ６４が光路中に介在させられたままとなる。従って、この状態では、光源装置３Ｂから出射される照明光の出射光量はメッシュフィルタ６４が減衰し、最大光量の約半分の光量までしか出射されない通常モードとなる。
【００５８】
ＣＣＵ１２が接続される場合、調光信号をＣＣＵ接続検知手段６９が調光信号のパルスを検知し、ＣＣＵ１２が接続された事を検知する。
ＣＣＵ接続検知手段６９からの検知信号はＣＰＵ６８で専用ＣＣＵ１２と判別されるのでソレノイド駆動回路６６を駆動させてメッシュフィルタ６４の基端を吸引移動して光路中から退避させ、この状態では最大光量まで制限される事なく、調光制御が行われる高輝度モードで作動する（但し、接続されたＬＧケーブル４が高輝度モード用のものである場合）。
【００５９】
この場合において、接続されたＬＧケーブル４が通常モード用のものである場合には、ＣＰＵ６８はメッシュフィルタ６４を光路中に介在させた状態を維持し、通常モードで作動させる。
本実施の形態は第１の実施の形態とほぼ同様の効果を有する。
【００６０】
なお、一般用ＣＣＵが光源装置３Ａ或いは３Ｂに接続された状態では最大出射光量の約１／２に制限するようにしているが、この値に限らず例えば最大出射光量の４０〜６０％の範囲内に設定しても良い。
【００６１】
なお、第１、第２実施の形態で用いた専用のＣＣＵ１２は接続検知が可能なＣＣＵを用いたが、素子シャッタ方式を使用しない一般用ＣＣＵの場合は、ビデオ信号入力コネクタ４６を用いて調光が可能であるが、調光信号入力コネクタ４２に接続可能ではないため、接続検知がされず、出射光量が制限された（通常モード）状態での使用となる。
【００６２】
照明光を発生する光源ランプとして図５ではハロゲンランプ６１を用いたが、第１の実施の形態の様な放電ランプ１７を用いても良い。
尚、ランプによっては電流可変出来ないものがあるので、その場合には絞りを用いて調光制御を行う適用が可能である。
【００６３】
［付記］
１．内視鏡に内蔵或いは装着され、内視鏡像を撮像する撮像装置の撮像信号を処理する映像信号処理装置と、内視鏡像を得るための照明光を出射する内視鏡とが接続可能な内視鏡光源装置において、
映像信号処理装置の種類を検知する検知手段と、前記検知手段の検知結果に基づいて最大出射光量を制御する光量制御手段とを具備することを特徴とする内視鏡光源装置。
【００６４】
２．付記１において、前記検知手段の検知において、映像信号処理装置の接続が検知されない場合に、前記内視鏡光源装置からの最大出射光量を制御するようにした。
３．付記１において、前記内視鏡光源装置からの最大出射光量の制御は約１／２となる。
４．付記１において、前記内視鏡光源装置からの最大出射光量の制御は４０〜６０％の範囲となる。
【００６５】
５．付記１において、前記検知手段は、接続回路の形成を検知する。
６．付記１において、前記検知手段は、調光信号を検知する。
７．付記１において、前記内視鏡光源装置からの最大出射光量の制御は、光束絞りによって出射光量が制御される。
【００６６】
８．付記１において、前記内視鏡光源装置からの最大出射光量の制御は、減光フィルタによって出射光量が制御される。
９．付記１において、前記検知手段は、前記撮像装置の撮像信号から前記内視鏡光源装置による出射光量を調整する信号を出力する第１の映像信号処理装置と、前記撮像装置の撮像信号から表示手段に出力される映像信号の明るさを撮像時間の可変制御で調整する素子シャッタ方式の処理を行う第２の映像信号処理装置との種類を検知する。
【００６７】
１０．被観察対象まで照明光を伝達する導光手段を挿脱自在なコネクタと、
前記コネクタに挿入された前記導光手段の入射端面に入射可能な照明光を発生する光源ランプと、
前記コネクタに挿入された前記導光手段の種類を判別する判別手段と、
前記判別手段の判別結果に基づき、前記光源ランプから前記導光手段の前記入射端面に供給される照明光の最大許容光量を設定する最大光量設定手段と、
を有することを特徴とする内視鏡光源装置。
【００６８】
１１．照明光を発生する光源ランプと、
前記光源ランプからの前記照明光を被観察対象まで伝達可能な導光手段と、
前記被観察対象を撮像する撮像手段と、
前記撮像手段からの撮像信号を処理する信号処理手段の出力端を接続可能なコネクタと、
前記コネクタに接続された前記信号処理手段の種類を判別する判別手段と、
前記判別手段の判別結果に基づき、前記光源ランプから前記導光手段に供給される照明光の最大許容光量を設定する最大光量設定手段と、
を有することを特徴とする内視鏡光源装置。
【００６９】
【発明の効果】
以上説明したように本発明によれば、種類が異なる映像信号処理装置が接続された場合に、出射される照明光の持つ熱で生体組織の状態を変化させるような悪影響を防止し、診断し易い状態を維持できる。
【図面の簡単な説明】
【図１】本発明の第１の実施の形態の内視鏡光源装置の外観を示す斜視図。
【図２】内視鏡光源装置等の内部構成を示す構成図。
【図３】ＣＣＵ接続検知回路の具体的な回路構成を示す回路図。
【図４】ＬＧ種類検知手段により検知されたＬＧケーブルの種類による動作モードを示す図。
【図５】本発明の第２の実施の形態の内視鏡光源装置等の内部構成を示す構成図。
【図６】ＣＣＵ接続検知回路の具体的な回路構成を示す回路図。
【図７】ＣＣＵ接続検知回路の作用説明図。
【符号の説明】
１Ｂ…内視鏡装置
２…硬性内視鏡
３Ａ…光源装置
４…ＬＧケーブル
５…挿入部
６…把持部
７…接眼部
１１…テレビカメラ
１２…ＣＣＵ
１３…モニタ
１５…ＬＧコネクタ受け
１６…ＬＧコネクタ
１７…放電ランプ
１８…ランプ点灯回路
２１，２６…ライトガイド
２２…絞り
２５…絞り駆動回路
２７…対物レンズ
３３…ＣＣＤ
３７…映像信号処理回路
３８…調光信号出力回路
４０…調光信号出力コネクタ
４１…調光ケーブル
４２…調光信号入力コネクタ
４３…ＣＣＵ接続検知回路
４５…調光回路
４７…制御回路
４８…絞り動作制限回路
４９…ＬＧケーブル種類検知手段
【図１】
0003610240.tif 000002
【図２】
0003610240.tif 000003
【図３】
0003610240.tif 000004
【図４】
0003610240.tif 000005
【図５】
0003610240.tif 000006
【図６】
0003610240.tif 000007
【図７】
0003610240.tif 000008